【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
同期信号(SS)ブロックインデックスの少なくとも一部分を含むSSブロックインデックス部分に基づいてスクランブルされた情報をユーザ機器(UE)から受信するステップであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、ステップと、
前記SSブロックインデックス部分に基づいて、前記スクランブルされた情報をデスクランブルするステップと
を備える、方法。
【請求項２】
前記情報のためのアップリンクグラントを前記UEに送信するステップをさらに備え、前記アップリンクグラントが前記SSブロックインデックスと関連付けられている、請求項1に記載の方法。
【請求項３】
基地局におけるワイヤレス通信の方法であって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信するステップと、
前記SSブロックインデックス部分に少なくとも基づいてスクランブルされた情報を前記UEから受信するステップであって、
前記スクランブルされた情報が、データまたは制御情報のうちの少なくとも1つを含む、ステップと、
前記SSブロックインデックス部分に基づいて、前記スクランブルされた情報をデスクランブルするステップと
を備える、方法。
【請求項４】
ユーザ機器(UE)におけるワイヤレス通信の方法であって、
同期信号(SS)ブロックと関連付けられるSSブロックインデックスを決定するステップと、
前記決定されたSSブロックインデックスの少なくとも一部分に基づいて情報をスクランブルするステップであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、ステップと、
前記スクランブルされた情報を基地局に送信するステップと
を備える、方法。
【請求項５】
前記基地局からアップリンクグラントを受信するステップをさらに備え、前記SSブロックインデックスが前記アップリンクグラントに基づいて決定される、請求項4に記載の方法。
【請求項６】
同期信号(SS)ブロックインデックスを示す情報を前記基地局から受信するステップをさらに備える、請求項4に記載の方法。
【請求項７】
前記情報をスクランブルする前記ステップが、前記SSブロックインデックスの少なくとも一部分に少なくとも一部基づいているシーケンス初期化に基づいてスクランブリングシーケンスを生成するステップを備え、スクランブリングの前の前記情報には、符号化と符号化解除のうちの少なくとも1つが行われ、スクランブリングの前の前記情報は、前記生成されたスクランブリングシーケンスに基づいてスクランブルされる、請求項4に記載の方法。
【請求項８】
ワイヤレス通信のための装置であって、前記装置が基地局であり、
メモリと、
前記メモリに結合された少なくとも1つのプロセッサと
を備え、前記少なくとも1つのプロセッサが、
同期信号(SS)ブロックインデックスの少なくとも一部分を含むSSブロックインデックス部分に基づいてスクランブルされた情報をユーザ機器(UE)から受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分に基づいて、前記スクランブルされた情報をデスクランブルすることと
を行うように構成される、装置。
【請求項９】
前記少なくとも1つのプロセッサがさらに、前記情報のためのアップリンクグラントを前記UEに送信するように構成され、前記アップリンクグラントが前記SSブロックインデックスと関連付けられている、請求項8に記載の装置。
【請求項１０】
ワイヤレス通信のための装置であって、前記装置が基地局であり、
メモリと、
前記メモリに結合された少なくとも1つのプロセッサと
を備え、前記少なくとも1つのプロセッサが、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信することと、
前記SSブロックインデックスの前記少なくとも一部分を含む前記SSブロックインデックス部分に基づいてスクランブルされた情報を前記UEから受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分の少なくとも一部分に基づいて、前記スクランブルされた情報をデスクランブルすることと
を行うように構成される、装置。
【請求項１１】
ワイヤレス通信のための装置であって、前記装置がユーザ機器(UE)であり、
メモリと、
前記メモリに結合された少なくとも1つのプロセッサと
を備え、前記少なくとも1つのプロセッサが、
同期信号(SS)ブロックと関連付けられるSSブロックインデックスを決定することと、
前記決定されたSSブロックインデックスの少なくとも一部分に基づいて情報をスクランブルすることであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、スクランブルすることと、
前記スクランブルされた情報を基地局に送信することと
を行うように構成される、装置。
【請求項１２】
前記少なくとも1つのプロセッサがさらに、前記基地局からアップリンクグラントを受信するように構成され、前記SSブロックインデックスが前記アップリンクグラントに基づいて決定される、請求項11に記載の装置。
【請求項１３】
前記少なくとも1つのプロセッサがさらに、同期信号(SS)ブロックインデックスを示す情報を前記基地局から受信するように構成される、請求項11に記載の装置。
【請求項１４】
前記少なくとも1つのプロセッサが、前記SSブロックインデックスの少なくとも一部分に少なくとも一部基づいているシーケンス初期化に基づいてスクランブリングシーケンスを生成することによって、前記情報をスクランブルするように構成され、スクランブリングの前の前記情報には、符号化と符号化解除のうちの少なくとも1つが行われ、スクランブリングの前の前記情報は、前記生成されたスクランブリングシーケンスに基づいてスクランブルされる、請求項11に記載の装置。
【請求項１５】
ワイヤレス通信の装置であって、
同期信号(SS)ブロックインデックスの少なくとも一部分を含むSSブロックインデックス部分に基づいてスクランブルされた情報をユーザ機器(UE)から受信するための手段であって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、手段と、
前記SSブロックインデックス部分に基づいて、前記スクランブルされた情報をデスクランブルするための手段と
を備える、装置。
【請求項１６】
前記情報のためのアップリンクグラントを前記UEに送信するための手段をさらに備え、前記アップリンクグラントが前記SSブロックインデックスと関連付けられている、請求項15に記載の装置。
【請求項１７】
ワイヤレス通信の装置であって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信するための手段と、
前記SSブロックインデックス部分に少なくとも基づいてスクランブルされた情報を前記UEから受信するための手段であって、
前記スクランブルされた情報が、データまたは制御情報のうちの少なくとも1つを含む、手段と、
前記SSブロックインデックス部分に基づいて、前記スクランブルされた情報をデスクランブルするための手段と
を備える、装置。
【請求項１８】
ワイヤレス通信の装置であって、
ユーザ機器(UE)において、同期信号(SS)ブロックと関連付けられるSSブロックインデックスを決定するための手段と、
前記UEにおいて、前記決定されたSSブロックインデックスの少なくとも一部分に基づいて情報をスクランブルするための手段であって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、手段と、
前記スクランブルされた情報を基地局に送信するための手段と
を備える、装置。
【請求項１９】
前記基地局からアップリンクグラントを受信するための手段をさらに備え、前記SSブロックインデックスが前記アップリンクグラントに基づいて決定される、請求項18に記載の装置。
【請求項２０】
同期信号(SS)ブロックインデックスを示す情報を前記基地局から受信するための手段をさらに備える、請求項18に記載の装置。
【請求項２１】
前記情報をスクランブルするための前記手段が、前記SSブロックインデックスの少なくとも一部分に少なくとも一部基づいているシーケンス初期化に基づいてスクランブリングシーケンスを生成し、スクランブリングの前の前記情報には、符号化と符号化解除のうちの少なくとも1つが行われ、スクランブリングの前の前記情報は、前記生成されたスクランブリングシーケンスに基づいてスクランブルされる、請求項18に記載の装置。
【請求項２２】
ワイヤレス通信のためのコードを記憶した非一時的コンピュータ可読記録媒体であって、前記コードが、プロセッサによって、
同期信号(SS)ブロックインデックスの少なくとも一部分を含むSSブロックインデックス部分に基づいてスクランブルされた情報をユーザ機器(UE)から受信することであって、
前記スクランブルされた情報が、物理アップリンク共有チャネル(PUSCH)と関連付けられたデータまたは物理アップリンク制御チャネル(PUCCH)と関連付けられた制御情報のうちの少なくとも1つを含む、受信することと、
前記SSブロックインデックス部分に基づいて、前記スクランブルされた情報をデスクランブルすることと
を実行可能な命令を含む、非一時的コンピュータ可読記録媒体。
【請求項２３】
前記命令がさらに、前記プロセッサによって、前記情報のためのアップリンクグラントを前記UEに送信することを実行可能にさせ、前記アップリンクグラントが前記SSブロックインデックスと関連付けられている、請求項22に記載の非一時的コンピュータ可読記録媒体。
【請求項２４】
ワイヤレス通信のためのコードを記憶した非一時的コンピュータ可読記録媒体であって、前記コードが、プロセッサによって、
同期信号(SS)ブロックインデックス情報をスクランブルするためのSSブロックインデックスの少なくとも一部分を含むSSブロックインデックス部分を示す前記SSブロックインデックス情報をユーザ機器(UE)に送信することと、
少なくとも前記SSブロックインデックス部分に基づいてスクランブルされた情報を前記UEから受信することであって、
前記スクランブルされた情報が、データまたは制御情報のうちの少なくとも1つを含む、受信することと、
前記SSブロックインデックス部分に基づいて、前記スクランブルされた情報をデスクランブルすることと
を実行可能な命令を含む、非一時的コンピュータ可読記録媒体。
【請求項２５】
ワイヤレス通信のためのコードを記憶した非一時的コンピュータ可読記録媒体であって、前記コードが、プロセッサによって、
ユーザ機器(UE)において、同期信号(SS)ブロックと関連付けられるSSブロックインデックスを決定することと、
前記UEにおいて、前記決定されたSSブロックインデックスの少なくとも一部分に基づいて情報をスクランブルすることであって、
前記情報が、物理アップリンク共有チャネル(PUSCH)と関連付けられたデータ、物理アップリンク制御チャネル(PUCCH)と関連付けられた制御情報、または制御情報と関連付けられる巡回冗長検査(CRC)のうちの少なくとも1つを含む、スクランブルすることと、
前記スクランブルされた情報を基地局に送信することと
を実行可能な命令を含む、非一時的コンピュータ可読記録媒体。
【請求項２６】
前記命令がさらに、前記プロセッサによって、前記基地局からアップリンクグラントを受信することを実行可能にさせ、前記SSブロックインデックスが前記アップリンクグラントに基づいて決定される、請求項25に記載の非一時的コンピュータ可読記録媒体。
【請求項２７】
前記命令がさらに、前記プロセッサによって、同期信号(SS)ブロックインデックスを示す情報を前記基地局から受信することを実行可能にさせる、請求項25に記載の非一時的コンピュータ可読記録媒体。
【請求項２８】
前記情報をスクランブルすることが、前記SSブロックインデックスの少なくとも一部分に少なくとも一部基づいているシーケンス初期化に基づいてスクランブリングシーケンスを生成することを含み、スクランブリングの前の前記情報には、符号化と符号化解除のうちの少なくとも1つが行われ、スクランブリングの前の前記情報は、前記生成されたスクランブリングシーケンスに基づいてスクランブルされる、請求項25に記載の非一時的コンピュータ可読記録媒体。